【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
生体サンプル中の微生物の同定及び定量化を行うためのシステムであって、
少なくとも光学カップ又はキュベットを保持するための複数の使い捨てカートリッジと、
前記複数の使い捨てカートリッジを受容するためのマガジンを含むサンプルプロセッサであって、前記サンプルを調製し、且つ、前記使い捨てカートリッジのそれぞれの前記光学カップ又はキュベットのそれぞれに前記サンプルを移し替えるように構成されたサンプルプロセッサと、
前記複数の使い捨てカートリッジを受容し、且つ、前記サンプルに含まれる微生物の種類及び量を分析する光学式分析装置と、を備え、
前記光学カップ又はキュベットは、前記生体サンプルを収容する矩形容器であり、
前記容器は、二つの離間した側壁、第１の端壁、第２の端壁、及び床を有し、
前記容器は、前記生体サンプルを収容するための矩形開口と、前記第１の端壁から、前記矩形開口に対して内側下方へ、前記床に向けて延出する下部先細り領域と、を有し、
前記第１の端壁は、前記側壁及び前記第２の端壁の深さより小さい深さを有し、
前記下部先細り領域は、前記開口を通って照射された照明ビームを受け取り、前記生体サンプルを通った前記ビームを反射するように構成された表面を有するシステム。
【請求項２】
前記光学式分析装置は、前記光学カップ又はキュベットの上方に配置された励起ユニット及び集光ユニットを有する請求項１に記載のシステム。
【請求項３】
前記光学カップ又はキュベットの少なくとも前記下部先細り領域は、反射材料の層でコーティングされている請求項１に記載のシステム。
【請求項４】
前記反射材料の層は、実質的に、前記下部先細り領域を含む前記容器の内面にわたって延在する請求項３に記載のシステム。
【請求項５】
前記下部先細り領域は、前記第１の端壁及び前記第２の端壁の少なくとも一つに対して約４５°の角度を有する請求項１に記載のシステム。
【請求項６】
前記下部先細り領域の少なくとも一部は反射材料を含み、
前記容器の前記開口は、前記開口を通って照射された前記照明ビームを受容可能に構成され、
前記下部先細り領域は、前記照明ビームを受け取り、前記生体サンプルを通った前記照明ビームを反射し、前記照明ビームは前記第２の端壁に入射して前記下部先細り領域に戻り、前記容器の上方に向けて蛍光を発光する位置に配置される請求項１に記載のシステム。
【請求項７】
前記光学カップ又はキュベットは、透明材料製である請求項１に記載のシステム。
【請求項８】
前記光学カップ又はキュベットは、前記生体サンプルを受容するための上部矩形開口及び下部矩形開口を有する上部品と、前記生体サンプルを保持するための前記下部先細り領域を有する下部品と、を具備する二つの部品構造を有し、
前記下部品は、前記二つの離間した側壁、前記下部先細り領域を有する前記第１の端壁、前記第２の端壁、及び水平な前記床を有し、
前記下部先細り領域は、前記上部矩形開口に対して内側下方へ延出し、水平な前記床に繋がる請求項１に記載のシステム。
【請求項９】
前記上部品及び前記下部品は、互いに接着され、
前記下部品は、反射材料の層を含む請求項８に記載のシステム。
【請求項１０】
前記使い捨てカートリッジのそれぞれは、光学分析に用いる調製された前記生体サンプルを収容するピペット及び前記光学カップ又はキュベットを少なくとも含む複数の使い捨てコンポーネントを位置決めして支持するための複数のコンパートメントを含み、
前記光学カップ又はキュベットを位置決め及び支持するための前記コンパートメントは、矩形形状の前記光学カップ又はキュベットを収容し支持する矩形開口を有する請求項１に記載のシステム。
【請求項１１】
前記光学式分析装置は、光学システムと、熱制御装置と、複数の前記使い捨てカートリッジを受容するための複数のホルダーを有するマガジンを受容し、支持し、及び回転するための回転テーブルを有する引出しと、バーコードリーダと、を備える請求項１に記載のシステム。
【請求項１２】
前記光学システムは、励起ユニットと、集光ユニットと、分光計と、を含む請求項１１に記載のシステム。
【請求項１３】
前記分光計は、
前記サンプルを含有する前記光学カップ又はキュベットから照明ビームを受光するための集光レンズシステムと、
前記光学カップ又はキュベットから出た後に少なくとも第１の光路を移動する前記照明ビームが通過する、前記集光レンズシステムに隣接配置された分光計スリットと、
前記第１の光路の前記照明ビームを受光するための前記分光計スリットに隣接配置された少なくとも一つの第１の円柱レンズと、
前記第１の円柱レンズを通過する前記照明ビームをコリメート光にするため、且つ、第２の光路内に前記照明ビームを反射するための第１のミラーを少なくとも含むミラーシステムと、
前記第１のミラーから反射された前記照明ビームを受光するため、前記照明ビームをスペクトル成分に分光して複数の分光ビームを形成するため、及び、第３の光路に沿って前記分光ビームを反射するための、前記第２の光路に位置する平面回折格子と、を有し、
前記ミラーシステムは、さらに、第４の光路における第２の円柱レンズに向かって前記複数の分光ビームを受光して集束するための一つの第２のミラーを少なくとも含み、且つ、前記照明ビームを受光し、前記サンプル中の汚染物質の存在を分析するための装置を含む請求項１２に記載のシステム。
【請求項１４】
前記分光計は、
試料を含有する前記光学カップから照明ビームを受光するための集光レンズシステムと、
前記光学カップから出た後に第１の光路を移動する前記照明ビームが通過する、前記集光レンズシステムに隣接配置された分光計スリットと、
前記第１の光路の前記照明ビームを受光するための前記分光計スリットに隣接配置された第１の円柱レンズと、
前記第１の円柱レンズを通過する前記照明ビームをコリメート光にするため、且つ、第２の光路内に前記照明ビームを反射するための第１のミラーを少なくとも含むミラーシステムと、
前記第１のミラーから反射された前記照明ビームを受光し、前記照明ビームをスペクトル成分に分光して複数の分光ビームを形成し、且つ、第３の光路に沿って前記分光ビームを反射する、前記第２の光路に位置する平面回折格子と、
前記ミラーシステムに対して位置決めされる第２の円柱レンズと、を有し、
前記ミラーシステムは、さらに、第４の光路における第２の円柱レンズに向かって前記複数の分光ビームを受光して集束するための第２のミラーを少なくとも含み、且つ、前記第２の円柱レンズを通過する前記複数の分光ビームを受光し、前記試料中の汚染物質の存在を分析するための前記第２の円柱レンズに隣接配置されたＣＣＤ装置を含む請求項１２に記載のシステム。
【請求項１５】
前記光学システムは、
ジュウテリウム光源、並びに、複数のキャリッジに保持されたミラー、フィルタ、及びフィルタホイールを回転するためのシステムを具備する、照明ビームを形成するための、光学装置と、を含む光学式読取装置であって、前記複数のキャリッジは、前記光源と前記光学カップとの間の距離を減少し、前記照明ビームの信号対ノイズ比を増加するような角度に配置される光学式読取装置と、
前記光学カップを支持し、前記照明ビームからコリメートビームを生成して前記コリメートビームを前記光学カップに向かわせるスリットを含むアンカーシューと、
前記生体サンプル及び前記光学カップからの前記コリメートビームの蛍光発光を受光し、前記蛍光発光を、前記生体サンプル中のバクテリアの分析のために、検出デバイスに向かわせる集光デバイスと、を有する請求項１１に記載のシステム。
【請求項１６】
前記フィルタホイールは、複数の狭域帯フィルタを含み、前記光源からのジュウテリウム放射が、２６０〜３００ｎｍの紫外光の狭域に限定されるように、前記狭域帯フィルタを変更するように、選択的に用いられる請求項１５に記載のシステム。
【請求項１７】
前記光学カップ又はキュベットの中の前記サンプルの温度を冷却及び制御するための装置であって、前記複数の使い捨てカートリッジを支持するためのカルーセルを有し、前記カルーセルは、各々が前記使い捨てカートリッジの一つと関連する複数の開口を具備する装置と、
各々が前記カルーセルの前記開口の一つと関連する複数の開口を有するターンテーブルと、
前記ターンテーブルと接触する熱電クーラーと、
前記サンプルを冷却してその温度を制御するために前記ターンテーブルの前記複数の開口を通して冷却空気を循環するための、前記ターンテーブルに関連するファンと、を備える請求項１に記載のシステム。
【請求項１８】
前記光学カップ又はキュベットの中の前記サンプルの温度を冷却及び制御するための装置であって、前記複数の使い捨てカートリッジを支持するためのカルーセルを有し、前記カルーセルは、各々が前記使い捨てカートリッジの一つと関連する複数の開口を具備する装置と、
各々が前記カルーセルの前記開口の一つと関連する複数の開口を有するターンテーブルと、
前記サンプルを冷却して前記サンプルの温度を制御するために、熱電クーラーから前記ターンテーブルへ冷却空気を運搬するための、且つ、前記ターンテーブルから前記熱電クーラーへ冷気を運搬するための、前記ターンテーブルに関連する複数の通路を有する、前記ターンテーブルの下方に位置するアルミニウムブロックと、を含む請求項１に記載のシステム。
【請求項１９】
光学分析における複数の光学カップ内のサンプルの温度を冷却及び制御するシステムであって、
各々が光学式分析装置による光学分析対象のサンプルを含有する使い捨て光学カップを支持する複数の使い捨てカートリッジを支持するためのカルーセルであって、各々が前記使い捨てカートリッジの一つと関連する複数の開口を有するカルーセルと、
各々が前記カルーセル内の前記開口の一つと関連する複数の開口を有するターンテーブルと、
熱電クーラーと前記ターンテーブルとの間へ水を運搬するための配管システムと、及び、
前記サンプルの温度を冷却して制御するために前記ターンテーブルの前記複数の開口を通して冷却空気を循環するための前記ターンテーブルに関連するファンと、を備えるシステム。
【請求項２０】
前記ターンテーブルはアルミニウム製であり、
前記光学カップ及び前記使い捨てカートリッジはプラスチック製であり、
前記アルミニウム製のターンテーブル及び前記プラスチック製の使い捨てカートリッジ及び前記光学カップを経由する対流冷却が発生して前記光学カップ内の前記サンプルを急速に冷却する請求項１９に記載のシステム。
【請求項２１】
前記サンプルの温度を冷却して制御するための前記システムは光学式分析装置内に位置する請求項１９に記載のシステム。
【請求項２２】
前記光学式分析装置内の前記サンプルの温度を冷却して制御するための前記システムは、周囲温度から所望の温度に前記サンプルを冷却し、且つ前記光学式分析装置での前記サンプルの処理が完了するまで前記サンプルの温度を前記所望の温度に実質的に維持するように構成される請求項２１に記載のシステム。
【請求項２３】
光学式分析装置における複数の光学カップ内のサンプルの温度を冷却して制御するためのシステムであって、
各々が光学式分析装置による光学分析対象のサンプルを含有する使い捨て光学カップを支持する複数の使い捨てカートリッジを支持するためのカルーセルであって、各々が前記使い捨てカートリッジの一つと関連する複数の開口を有するカルーセルと、
各々が前記カルーセル内の前記開口の一つと関連する複数の開口を有するターンテーブルと、及び、
前記サンプルを冷却して前記サンプルの温度を制御するために、熱電クーラーから前記ターンテーブルへ冷却空気を運搬するための、且つ前記ターンテーブルから前記熱電クーラーへ冷却空気を運搬するための、前記ターンテーブルに関連する複数の通路を有する、前記ターンテーブル下方に位置するアルミニウムブロックと、を備えるシステム。
【請求項２４】
前記ターンテーブルはアルミニウム製であり、
前記光学カップ及び前記使い捨てカートリッジはプラスチック製であり、
前記アルミニウム製のターンテーブル及び前記プラスチック製の使い捨てカートリッジ及び前記光学カップを経由する対流冷却が発生して前記光学カップ内の前記サンプルを急速に冷却する請求項２３に記載のシステム。
【請求項２５】
前記サンプルの温度を冷却して制御するための前記システムは光学式分析装置内に位置する請求項２３に記載のシステム。
【請求項２６】
前記光学式分析装置内の前記サンプルの温度を冷却して制御するための前記システムは、所望の温度に前記サンプルを冷却し、且つ前記光学式分析装置での前記サンプルの処理が完了するまで前記サンプルの温度を前記所望の温度に実質的に維持するように構成される請求項２５に記載のシステム。
【請求項２７】
光学分析に使用するための生体サンプルを保持するための光学カップであって、
前記生体サンプルを含有する容器を備え、
前記容器は、前記生体サンプルを受容するための開口、及び前記開口に対して内側下方に延出する下部先細り領域を有し、
前記下部先細り領域は、前記開口を通った照明ビームを受け取るために、及び、前記生体サンプルを通った前記照明ビームを反射させるために、形成された表面を有する光学カップ。
【手続補正２】
【補正対象書類名】明細書
【補正対象項目名】発明の名称
【補正方法】変更
【補正の内容】
【発明の名称】分析システム、冷却システムおよび光学カップ